Podtech/llm-jp-corpus-v4-ja_patent huggingface dataset:
(57)【要約】【課題】上着についたシワを伸ばし、汗や雨などで湿った上着を乾燥させる内圧式乾燥及びプレスマットを提供する。【解決手段】上着の内側にプレスマット（１）を入れ、開口部（３）に挿入した布団乾燥機のホースより送られた温風でプレスマット（１）を膨張させ、その圧力と温風で上着のシワを伸ばすとともに乾燥や脱臭をさせることを特徴とする。【選択図】　図４
2004121769.tif 000002
【特許請求の範囲】
【請求項１】
プレスマット（１）の底部の開口部（３）にファスナー（２）を設けた内圧式乾燥及びプレスマット。
【発明の詳細な説明】
【０００１】
【発明の属する技術分野】
この発明は、たとえば、背広の上着についたシワを伸ばすとともに、汗や雨などで湿った上着の乾燥や脱臭ができるように工夫した内圧式乾燥及びプレスマットに関するものである。
【０００２】
【従来の技術】
従来より上着のシワを伸ばしたり、乾燥させるには、アイロンや蒸気を使用していた。
【０００３】
【発明が解決しようとする課題】
これは次のような欠点があった。
イ．立体的に縫製された上着の型を崩さずにアイロンをかけ、シワを伸ばすの
は困難であった。
ロ．蒸気による上着のシワ伸ばしは、型崩れはしにくいが、汗や雨などを乾燥
させることは出来なかった。
本発明は、以上の欠点を解決するためになされたものである。
【０００４】
【課題を解決しようとするための手段】
プレスマット（１）の底面の開口部（３）にファスナー（２）を設ける。
本発明は、以上の構成よりなる内圧式乾燥及びプレスマットである。
【０００５】
【発明の実施の形態】
以下、本発明の実施の形態について説明する。
プレスマット（１）にハンガー（４）を内蔵し、プレスマット（１）の底部の開口部（３）にファスナー（２）を設ける。
本発明は以上の構成よりなっている。
本発明を使用するときは、底面の開口部（３）に挿入した布団乾燥機のホースをファスナー（２）で閉じることによって固定する。
次に上着の内側にプレスマット（１）を入れ、袖を通し、布団乾燥機の温風をプレスマット（１）に吹き込む。
この事により、プレスマット（１）が膨張し、内側より圧力をかけられるため、上着についたシワを伸ばす事ができる。
また、シワが強く残る場合は、霧吹きなどで多少湿らせてから使用すればさらに高い効果が得られる。
さらに、布団乾燥機の温風がプレスマット（１）の織り目より噴出されることにより、汗や雨などで湿った上着を乾燥させ、生地の質を保つ事ができる。
また、プレスマット（１）の織り目より噴出される温風により、上着に付着した臭いを取るとともに、内部に芳香剤を入れることで、芳香付けも可能である。
【０００６】
【発明の効果】
立体的に縫製された上着の型を崩すことなくシワを伸ばし、同時に汗や雨などの乾燥もできる。
しかも、付着した臭いを取るとともに芳香付けも可能であり、衣類生地を痛めることもない。
【図面の簡単な説明】
【図１】本発明の斜視図
【図２】本発明の底面図
【図３】本発明の断面図
【図４】本発明の使用状態を示す斜視図
【符号の説明】
１　プレスマット
２　ファスナー
３　開口部
４　ハンガー
【図１】
2004121769.tif 000003
【図２】
2004121769.tif 000004
【図３】
2004121769.tif 000005
【図４】
2004121769.tif 000006
(57)【要約】【課題】従来の学童用デスクチェアは、ステップと足元の棚を有している為、大人が使用できるよう座板の高さを調整しても、学童用デスクチェアの印象はなくならず、子供が成長すると子供はそのデスクチェアを使用することを嫌い、新たに大人用のデスクチェアを購入しなければならないという問題があったが、子供が成長しても、新たなデスクチェアを購入することなく、大人になっても使用しつづけることのできる学童用デスクチェアを提供する。【解決手段】ステップと棚を一体化し、椅子本体へ取付、取り外しを可能とする。【選択図】　　　　図１
2004121703.tif 000002
【特許請求の範囲】
【請求項１】
ステップ（足置き）とランドセル等をおく為の足元の棚を一体とした学童用デスクチェア。
【請求項２】
一体としたステップと足元の棚が取り外すことのできる、請求項１記載の学童用デスクチェア。
【請求項３】
大人が使用できるよう座板の高さを調節すれば、通常の椅子と同様に違和感なく使用できる請求項１又は、２記載のデスクチェア。
【発明の詳細な説明】
【０００１】
【発明の属する分野】
本発明は、学童用デスクチェアに関する。
【０００２】
【従来の技術】
従来の学童用デスクチェアは、高さ調節が可能な座板と足置きのステップ、及び足元下部にランドセル等をおく為の棚が取り付けられてあり、大人の使用については考慮されていない。
【０００３】
【発明が解決しようとする課題】
従来の学童用デスクチェアは、ステップと足元の棚を有している為、大人が使用できるよう座板の高さを調整しても、学童用デスクチェアの印象はなくならず、子供が成長すると子供はそのデスクチェアを使用することを嫌い、新たに大人用のデスクチェアを購入しなければならないという問題があった。
【０００４】
本発明は、ステップと足元の棚を一体として取り外すことにより、学童用デスクチェアの印象をなくすことができ、通常の椅子と同様、子供が勉強部屋で使用するだけでなく、大人が書斎、居間、食堂などで違和感なく使用できるデスクチェアを提供することを目的とする。
【０００５】
【課題を解決する為の手段】
上記目的を達成するために本発明の学童用デスクチェアにおいては、ステップ（足置き）とランドセル等を置くための足元の棚を一体として本体に取り付けられるようにした物である。
【０００６】
一体としたステップと足もとの棚を取り外すことにより、学童用デスクチェアの印象をなくすことができる。
【０００７】
また、座板の高さを調整すれば、通常の椅子と同様に大人も使用することができる。
【０００８】
【発明の実施の形態】
発明の実施の形態を、実施例に基づき図面を参照して説明する。
図１、図２は、通常の椅子として使用できる学童用デスクチェアを、学童用デスクチェアとして、使用した第１実施例である。１は椅子本体である。２は座板で通常ネジ等で椅子本体に取り付けてあり、高さ調節できる。３はステップで４棚と一体になっておりネジ等で、１椅子本体に取り付けてある。
【０００９】
次に、通常の椅子として使用できる学童用デスクチェアの第２実施例について述べる（図３、図４参照）。
第１実施例に示す学童用デスクチェアとしている状態（図２）から、４棚と一体になっているステップを取り外すことにより、通常の椅子として使用する物である。
【００１０】
通常の椅子として使用する場合（図３、図４参照）、座板の高さを調節することにより、大人も使用することができる。
【００１１】
【発明の効果】
１．　ステップと足もとの棚を一体として取り外すことで、学童用デスクチェアの印象をなくすことができる。
２．　学童用デスクチェアの印象をなくすことで、子供が成長しても、新たなデスクチェアを購入しなくてもすむ。
３．　通常の椅子として使用できるので、大人が書斎、居間、食堂などで違和感なく使用できる。
【図面の簡単な説明】
【図１】この発明の第１実施例を示す通常の椅子として使用できる学童用デスクチェアの側面図である。
【図２】この発明の第１実施例を示す通常の椅子として使用できる学童用デスクチェアの正面図である。
【図３】この発明の第２実施例を示す通常の椅子として使用できる学童用デスクチェアの側面図である。
【図４】この発明の第２実施例を示す通常の椅子として使用できる学童用デスクチェアの正面図である。
【符号の説明】
１．　椅子本体
２．　座板
３．　ステップ
４．　棚
【図１】
2004121703.tif 000003
【図２】
2004121703.tif 000004
【図３】
2004121703.tif 000005
【図４】
2004121703.tif 000006
(57)【要約】【課題】永久に磁力を補充できるお玉を提供する。【解決手段】硬磁性体からなる永久磁石２を内蔵するお玉を置く器１及び柄４を持つ軟磁性体製お玉３からなるお玉セット。【選択図】図１
2004121792.tif 000002
【特許請求の範囲】
【請求項１】
硬磁性体からなる永久磁石２を内蔵するお玉を置く器１及び柄４を持つ軟磁性体製お玉３からなるお玉セット。
【発明の詳細な説明】
【０００１】
【発明の属する技術分野】
本発明は、軟磁性体のお玉が誘導されて一時的に磁石に変えることを目的とした永久磁石を内蔵したお玉を置く器及び柄４を持つ軟磁性体製お玉３からなるお玉セットに関するものである。
【０００２】
【従来の技術】
従来、お玉は鍋の中のみそ汁などの汁物を攪拌したり、汁物などをすくうための料理用品として様々な形状、大きさ、材質のものが利用されてきた。
【０００３】
【発明が解決しようとする課題】
料理鍋などの中に塩分や調味料などを加えて攪拌したり、調理した汁物などをすくう道具としてお玉が利用されてきた。
磁石には、磁石のエネルギーによって水の分子間に働いている水素結合を切断し、水の分子集団を小さくして水をおいしくする働きがあると言われているが、磁石を食品や水などに直接つけることは衛生上も好ましくなく、また、磁石の錆びの発生や高熱による磁力低下などの問題があった。
【０００４】
【解決手段】
本発明は、硬磁性体からなる永久磁石２を内蔵するお玉を置く器１及び柄４を持つ軟磁性体製お玉３からなるお玉セットとすることにより、お玉を置く器に内蔵した永久磁石により、軟磁性体のお玉をその器に置くたびにお玉は誘導されて磁石になり、一時的に磁石になったお玉でみそ汁などの液体を攪拌したりすくうことにより、鍋の中の液体に対流運動が生じ磁石のエネルギーの作用と相まって水分が磁化され活性化される。
永久磁石そのものがみそ汁などの液体に直接触れないため衛生的であり安心である。また、お玉を置く器に内蔵されている永久磁石は、磁石とお玉が間接的に接するため、磁石が錆びたり高熱で磁力が弱ったりすることがない。
【０００５】
【発明の実施の形態】
本発明において永久磁石２として用いられる硬磁性体は、磁力を失わないものであればどのようなものでもよく、また、お玉３に用いられる軟磁性体は磁力を受けたときに磁性体に変化し、一定時間磁力を保つ材料であれば何でもよい。
お玉の柄４は、磁性体又は非磁性体の何れでもよく、通常は金属製であるがセラミックスや竹や木などの材料で出来ていても良い。
本発明の典型例を図１に示す。
軟磁性体のお玉３をその器１に置くたびにお玉３は誘導されて磁石になり、一時的に磁石になったお玉でみそ汁などの液体を攪拌したりすくったりすると、鍋の中の液体に対流運動が生じ磁石のエネルギーの作用と相まって水分が磁化され活性化されるため、味がよりおいしく感じられる。
料理鍋などの中に塩分や調味料などを加えて攪拌したり、調理したものをすくうものとしてお玉が利用され、そのつどお玉置きなどにお玉を置いているが、お玉を置く器に内蔵した永久磁石により、その器に磁性体のお玉を置くたびにお玉は誘導されて磁石に変わるものであり、これまでどおりにお玉置きを使用するだけでよく、誰でも簡単に、安心して、繰り返し長期間使用できるお玉を置く器である。この効果を高めるために、使用するお玉は強磁性体となり得る磁性材料であることが望ましい。
また、永久磁石の磁力もお玉が取り外しやすい強さに加減するとよい。
なおまた、お玉を置く器１は、壁などに据え付けても、磁石の磁力により、お玉を保持することができる。
【０００６】
【発明の効果】
一時的に磁石になったお玉３で、みそ汁などの汁物を攪拌したりすくったりすることにより、磁力により水分が活性化された汁に変わり味がよりおいしく感じられる。
お玉を置く器１に内蔵した永久磁石２は、お玉３を載せたときお玉３を磁化するので、直接熱が伝わらない場所において置くと磁力が弱ることが無い。
お玉を置く器に内蔵されている永久磁石は、磁石とお玉が間接的に接するため、磁石が錆びたり高熱で磁力が弱ったりすることがなく長期間使用でき、人体が磁石に直接触れる心配がなく、また、磁石に変わったお玉の磁力も微力であり安心して使用できる。
これまで使用していたお玉が磁性体であればそのまま使用できるが、お玉が強磁性体であればいっそうの効果が期待できる。磁石付きのお玉を置く器の形などをおたまじゃくしに似せ、名称をお玉ジシャクなどと呼べば家庭の愛用品となり子供たちも楽しく料理ができる。お玉を置く器は、スプーンなども置くことができるので、あらかじめ磁性体のスプーンなどを置き、一時的に磁石になったスプーンなどでコーヒーなどの飲み物の攪拌用にも使用できるのでこの器の利用範囲は広い。
【図面の簡単な説明】
【図１】本発明の断面図である。
【符号の説明】
１　お玉を置く器
２　お玉を置く器に内蔵した永久磁石
３　お玉
４　お玉の柄
【図１】
2004121792.tif 000003
(57)【要約】【課題】安全かつ容易に二人の乳児に同時に授乳を行うことのできる授乳枕を提供する。【解決手段】任意素材にて所定幅の枕本体を形成し、枕本体の上面に傾斜面を設け、枕本体の中央下部に凹部を形成するとともに、枕本体側面に保持ベルトを着脱可能に設けたことを特徴とする。【選択図】　　　図６
2004121800.tif 000002
【特許請求の範囲】
【請求項１】
任意素材にて所定幅の枕本体を形成し、枕本体の上面に傾斜面を設け、枕本体の中央下部に凹部を形成するとともに、枕本体側面に保持ベルトを着脱可能に設けたことを特徴とする授乳枕。
【発明の詳細な説明】
【０００１】
【発明の属する技術分野】
この発明は、乳児二人に同時に授乳させることのできる授乳枕に関する。
【０００２】
【従来の技術】
従来より、授乳時に使われるいわゆる授乳枕が利用されているが、袋体にクッション等を封入した単なる枕であって一人の乳児を対象としたものであり、本発明にて示すように、二人の乳児に適用できるものは現在のところ見当たらない。
【０００３】
【発明が解決しようとする課題】
現在は不妊治療が進歩してきており、投薬の影響を受けて双子をもつ親が以前より増加しつつある。出産後の授乳は３〜４時間おきに行うが、双子の場合二人に交互に授乳するとなれば頻繁な授乳が必要であり、とりわけ母乳による場合はその労力も大きくなる。
しかし、二人に同時に授乳できれば好都合であるが、このための用具はなく、一人用授乳枕では用をなさないものであった。
本発明は、以上のような従来からの双子の授乳に関わる課題を解決するために発明されたもので、二人の乳児に同時に授乳させることのできる新規な用具を提供することを目的として開発されたものである。
【０００４】
【課題を解決するための手段】
課題を解決する手段として本発明は、所定幅の枕本体に傾斜面、凹部、保持ベルトを各々設けてその主要部を構成した。
すなわち、任意素材にて所定幅の枕本体を形成し、枕本体の上面に傾斜面を設け、枕本体の中央下部に凹部を形成するとともに、枕本体側面に保持ベルトを着脱可能に設ける。本発明は以上の構成よりなる授乳枕である。
【０００５】
【発明の実施の形態】
本発明を使用するには、まず枕本体の空隙部内に腰部を位置させ、凹部に膝が当たるように枕本体を位置させ、保持ベルトを背中に当てて係止部にて保持ベルトの一端を枕に係止させる。
そして二人の乳児を脚を外側に頭を内側に向かい合うように枕本体上面に乗せて授乳を行う。枕本体と授乳者身体は保持ベルトにて密接しており、枕本体下部の凹部は膝上に当接しているので、授乳者身体に対して枕本体は安定保持される。
また、枕本体上面は外側から内側に向けて下降する傾斜面を有しており、乳児の身体は自然に内向きすなわち授乳者の方へ向くこととなり、授乳しやすくかつ乳児が枕から落下する可能性を極少とすることができる。
【０００６】
【実施例】
以下、本発明の実施例について説明する。
図において、１はスポンジによるクッション体をやわらかな覆布でくるんだ略半ドーナツ形状の枕本体で、その内側は空隙部２となっている。また、枕本体の外側から内側に向けて下降する傾斜面が形成される。
３は布製の保持ベルトで、枕本体空隙部に近接してその一端が縫着され、他端は面ファスナー４にて枕本体に係止される。つまり、面ファスナーの雄片又は雌片がベルト端部に縫着され、面ファスナーの雄片又は雌片が枕本体の当接個所に縫着されて、双方の雄片と雌片との当接にて係止される構成である。
５は凹部で、枕本体の中央近傍外側下部に所定幅に形成される。６は枕本体外側側面に設けられるスライドファスナーである。
以上が本発明の一実施例である。
本発明の概要については既述したが、本例ではスポンジによるクッション体にて枕形状を形成しており、さらにこのクッション体をやわらかな布でくるんだ構成としたため、授乳者および被授乳者ともにソフトな感触が得られるものとなっている。
また、保持ベルトの着脱を面ファスナーにて行うので、しっかりと保持できるとともに、その着脱も容易である。枕本体には所定幅にスライドファスナーを設けたので、必要に応じて中のクッション体を取り出して覆布を洗浄することができる。
【０００７】
本発明は半ドーナツ形状の枕本体を人体にしっかりとフィットさせて用いるところにその特徴がある。
空隙部に授乳者の腰部が位置し、背中に保持ベルトが当接して枕と人体とがフィットし、また凹部は膝上に当接するために授乳時の安定を得ることができる。従来のように一人に授乳するときは両手で乳児を抱えることができるため、乳児の上下位置安定のための単なる枕でも用が足りるが、二人の乳児に同時授乳を行う場合、一人を片手で抱えなければならず、従来の枕では小さすぎ、かつ安定も図りにくいものである。そのため本発明では半ドーナツ形状の枕とし、授乳者へのフィットおよび保持性を高めるための構造としたのである。
また、片手によって一人の乳児を抱えなければならないため、その乳児の姿勢保持に支障がないよう、枕本体上面を傾斜面としてその姿勢保持を容易かつ安全に行えるよう配慮したのである。
なお、本発明では略半ドーナツ形状の枕本体としているが、近似の他の形状による枕本体としてもよい。また、保持ベルトは布製としたが、他の素材を用いてもよく、係止手段は本例で用いた面ファスナー以外にボタン、ホック等を用いてもよい。
以上のごとく、本発明によって二人の乳児に同時に容易に授乳を行うことのできる授乳枕を得ることができる。
【０００８】
【発明の効果】
本発明によれば、授乳者の腰回りに沿って枕本体が位置し、保持ベルトと凹部により枕と身体がフィットすることとなり、さらに枕本体上面に傾斜面を設けているため、二人の乳児に安定した姿勢にて同時に安全に授乳させることのできる有用なる授乳枕を提供することができる。
【図面の簡単な説明】
【図１】本発明の平面図
【図２】本発明の正面図
【図３】本発明の右側面図
【図４】Ａ−Ａ断面図
【図５】本発明の使用状態説明図
【図６】本発明の使用状態説明図
【符号の説明】
１　枕本体
２　空隙部
３　保持ベルト
４　面ファスナー
５　凹部
６　スライドファスナー
【図１】
2004121800.tif 000003
【図２】
2004121800.tif 000004
【図３】
2004121800.tif 000005
【図４】
2004121800.tif 000006
【図５】
2004121800.tif 000007
【図６】
2004121800.tif 000008
(57)【要約】【課題】洗濯時における洗濯水を効果的かつ安価に磁化水に変えることができる電気洗濯機を提供する。【解決手段】軟磁性体の回転洗濯槽と本体とからなる電気洗濯機において、本体の回転洗濯槽側の一部に、硬磁性体からなる永久磁石を設置することを特徴とする電気洗濯機。【選択図】図１
2004121791.tif 000002
【特許請求の範囲】
【請求項１】
軟磁性体の回転洗濯槽と本体とからなる電気洗濯機において、本体の回転洗濯槽側の一部に、硬磁性体からなる永久磁石を設置することを特徴とする電気洗濯機。
【発明の詳細な説明】
【０００１】
【発明の属する技術分野】
本発明は、磁石により誘導されたる磁性の洗濯槽を用い、その残留磁力により洗濯槽内の水を磁化水に変える磁性水電気洗濯機に関するものである。
【０００２】
【従来の技術】
従来、洗濯機の洗濯槽は有磁性の材質で作られ、入れた洗濯物が洗剤を溶かした水により効果的に洗浄できるように、モーターで回転させた回転翼により、洗濯槽内の水を強制的に攪拌させていた。
【０００３】
【発明が解決しようとする課題】
磁石には、磁石のエネルギーによって水の分子間に働いている水素結合を切断し、水の分子集団を小さくして水を活性化する働きがあるが、磁石を水などに直接つけるならば磁石に錆びが発生し磁力が低下する。
水は磁力のエネルギーを加えることにより磁化され活性化されると、浸透力や洗浄力が高まり、洗濯時における洗濯水を簡易で効果的にまた安価に磁化水に変えることを課題として研究した。
【０００４】
【解決手段】
本発明は、軟磁性体の回転洗濯槽と本体とからなる電気洗濯機において、本体の回転洗濯槽側の一部に、硬磁性体からなる永久磁石を設置することを特徴とする電気洗濯機とすることにより、洗濯機に内蔵した永久磁石により、洗濯槽が誘導されて洗濯槽の全体が磁石に変わり、磁石になった洗濯槽は、洗濯槽内の水をモーターにより攪拌することにより水の激しい対流運動が生じ、磁石になった洗濯槽の残留磁力エネルギーの作用と相まって洗濯槽内の水が磁化され活性化される。
本発明は洗浄力が高まるばかりでなく、洗濯機に内蔵されている永久磁石そのものが水や人体に直接触れないため衛生的であり安心である。また、洗濯機に内蔵されている永久磁石は、磁石と洗濯槽内の水が間接的に接するため磁石が錆びることはない。
【０００５】
【発明の実施の形態】
本発明において永久磁石として用いられる硬磁性体は、磁力を失わないものであればどのようなものでもよく、また、軟磁性体は磁力を受けたときに磁性体に変化し、一定時間磁力を保つ材料であれば何でもよい。
本発明は、本体に内蔵した硬磁性材料でできた永久磁石により、軟磁性の洗濯槽は誘導されて磁石になり、一時的に磁石になった洗濯槽は、洗濯槽内の水をモーターにより攪拌することにより水の激しい対流運動が生じ、磁石になった洗濯槽の残留磁力エネルギーの作用と相まって洗濯槽内の水が磁化され活性化される。
洗濯機の使用者はこれまでどおり使用するだけでよく簡単である。洗濯機に内蔵されている永久磁石そのものが水や人体に直接触れないため衛生的であり安心である。また、洗濯機に内蔵されている永久磁石は、磁石と洗濯槽内の水が間接的に接するため、磁石が錆びたりすることがない。
軟磁性体の洗濯槽は誘導により洗濯槽の全体が磁石に変わるため、強力な磁石を少なくとも一つ取り付ければよいので非常に経済的である。
この装置では洗濯槽内の水をモーターにより攪拌することにより水の激しい対流運動が生じ、水は洗濯槽の内壁に渦巻きとなって衝突を繰り返すため磁力の不足を補うことができる。
【０００６】
【発明の効果】
洗濯機の製造時に永久磁石を内蔵してあり、洗濯機の使用者はこれまでどおり使用するだけで簡単に磁化水で洗濯ができる。洗濯機に内蔵されている永久磁石そのものが水や人体に直接触れないため衛生的であり安心である。
また、洗濯機に内蔵されている永久磁石は、磁石と洗濯槽内の水が間接的に接するため、磁石が錆びたりすることがない。有磁性体の洗濯槽は誘導により洗濯槽の全体が磁石に変わるため、安価で強力な磁石を少なくとも一つ取り付ければよいので非常に経済的である。磁化水を作るには、磁力はより強く、また水流の速さは早いほど効果があるとされているが、モーターにより回転し激しい水流を生じさせている洗濯槽内においては磁化水を作りやすい条件といえる。磁石のエネルギーを加えることよって水の浸透力、洗浄力が高まるので、洗剤量も減少させることができ、環境対策にもつながる。
【図面の簡単な説明】
【図１】本発明の断面図である。
【符号の説明】
１　洗濯機本体
２　モーター
３　回転翼
４　洗濯機本体側に取付けた磁石
５　洗濯槽（回転槽）
６　水
７　洗濯機の蓋
【図１】
2004121791.tif 000003
(57)【要約】【目的】人形、ぬいぐるみ遊びをしている中でおんぶ紐を持っていなくても簡単におんぶができるようにすること。【構成】人形、ぬいぐるみ本体の胸胴または背面に、背負うための紐を収納するポケットを一列あるいは二列に作り、　開閉自由とし必要に応じておんぶひもを出し入れできるようにした。紐を収納することにより不要時の紐のぶら下がりがなくなりデザインもすっきりして遊びやすくなった。【選択図】図１
2004121793.tif 000002
【特許請求の範囲】
【請求項１】
人形、縫いぐるみの背面または胸胴体に縦長のポケットを１列或いは並行させて２列に設け、縦長ポケットの内部の上下端部に、おんぶする為の紐の上下端部を固着し、そのひもを内臓させ、該ポケットの開閉口にファスナー、マジックテープ等の開閉手段を設け、おんぶ用のひもを取り出してそのままおんぶできることを特徴とする人形またはぬいぐるみ。
【発明の詳細な説明】
【０００１】
【発明の属する技術分野】
玩具に関し、人形、ぬいぐるみに関する。
【０００２】
【従来の技術】
子供が遊びの中で人形、ぬいぐるみをおんぶするにはおんぶする為のひもを用いなければおんぶが出来ないので不便である。また人形や、ぬいぐるみに背負紐がついたリュック型のものがあるが、これは飾って置きたいときや人形と
して持ち歩きたいときにも紐がでていて不便である。
【０００３】
【発明が解決しようとする課題】
１．人形、ぬいぐるみ遊びをしている中でおんぶひもを持っていなくても簡単におんぶができるようにすること。
２．人形、ぬいぐるみに、リュックのように背負うための紐が付いているものは、背負はないで持ち歩いたり飾っておくには紐のぶら下がりが邪魔になり不便である。そこで人形、ぬいぐるみ本体の胸胴または背面に、背負うための紐を収納するポケットを作り開閉自由とし必要に応じておんぶひもを出し入れできるようにし、すっきりしたデザインのものを得ようとするものである。
【０００４】
【問題を解決するための手段】
人形、ぬいぐるみの前面の胸胴、背面に、縦長のポケットを１列または２列に設け、縦長ポケットの内部の上下端部におんぶひもの上下端部を固着し、その紐を内臓させ、該ポケットの開閉口にファスナー、ベルクロファスナースナップなどの止め具による開閉手段を設け、おんぶひもを取り出しそのままおんぶ出来るようにした。
【０００５】
【発明実施の形態】
本体の人形あるいはぬいぐるみのにおいて、おんぶひものついている位置に縦長のポケットを１列あるいは２列に並行させて設け、縦長ポケットの内部の上下端部におんぶひもの上下端部を固着し、該ポケットの開口部にファスナーマジックテープなどの開閉手段を設けた。必要に応じておんぶひもを取りだしてそのままおんぶ出来るようにした。その結果、ファスナー、マジックテープを収納し開閉口を閉じたときはおんぶひもが見えなくなり邪魔にならなくなり本来のデザインがすっきりした。
【０００６】
（作用）
（１）人形、ぬいぐるみにおんぶひもを収納出来る収納ポケットを作ったこととにより必要に応じておんぶ紐の出し入れが出来るようになった。
（２）おんぶひもを不必要なとき収納することにより紐のぶら下がりをなくし本来のデザインがすっきりした。
【０００７】
【発明の効果】
（１）人形遊びのとき、ひものぶら下がりが無くなり使い易くなった。
（２）人形を飾っておくときに、ひもが見えないのでスッキリした型になった。
（３）おんぶ紐が人形に内臓されているので、従来のように、別におんぶひもを用意しなくても済むので便利になった。
【図面の簡単な説明】
【図１】おんぶ人形の背面におんぶ紐の収納ポッケットを作りおんぶ紐をだしたところの図。（Ａ）は１列収納ポケット（Ｂ）は並列の収納ポケット（Ｃ）（Ｄ）は収納ポケットを閉じたところ
【図２】おんぶ人形の胸胴部の収納ポッケットからおんぶ紐を出したところの図（Ｅ）は１列収納ポケット（Ｆ）は並列の収納ポケット
【図３】おんぶ人形をおんぶしたところの図
（Ｇ）おんぶ人形の顔が外向き　（Ｈ）おんぶ人形の顔がおんぶしている人の背中を向いているところの図
【図４】収納ポッケトを開けてひもを出したところ。
【符号の説明】
１　ぬいぐるみ本体
２　おんぶ紐
３　収納ポケット
４　ファスナー
【図１】
2004121793.tif 000003
【図２】
2004121793.tif 000004
【図３】
2004121793.tif 000005
【図４】
2004121793.tif 000006
(57)【要約】【課題】水分子より比重の重い銀イオンは電解槽の内底面に滞留および堆積しやすく、この内底面の供給管路の出口部分を除いたほとんどの部位には水流がほとんどなく、滞留および堆積した銀イオンが拡散されずに無駄になってしまう。【解決手段】溶出させる電極を備えた槽内に被処理水を供給する供給管路と、前記槽内で処理された水を排出する排出管路とを備えた電解槽において、前記供給管路の出口が電極に向けて下方に開口していることを特徴としている【選択図】　　　　図１
2004121914.tif 000002
【特許請求の範囲】
【請求項１】
溶出させる電極を備えた槽内に被処理水を供給する供給管路と、前記槽内で処理された水を排出する排出管路とを備えた電解槽において、
前記供給管路の出口が電極に向けて下方に開口していることを特徴とする電解槽。
【請求項２】
前記供給管路の出口に接合されるフィルタを備え、前記電極がフィルタ内に配設されていることを特徴とする請求項１記載の電解槽。
【発明の詳細な説明】
【０００１】
【発明が属する技術分野】
本発明は、被処理水に溶出させる電極を備えた電解槽に関するものである。
【０００２】
【従来の技術】
従来の溶出させる電極を備えた電解槽は、例えば特開昭６３−１６６４９０号公報に開示されている。この公報によれば、溶出させる電極（銀電極）を備えた電解槽は底面に供給管路の出口が設けられ、天井面に排出管路の入口が設けられており、前記供給管路の上方に開口している出口に対向した位置に前記銀電極が設けられている。この銀電極に電圧を印加すると銀電極から銀イオンが処理水中に溶出して銀イオン水となる。
【特許文献１】
特開昭６３−１６６４９０号公報
【０００３】
【発明が解決しようとする課題】
しかしながら、前記電解槽における銀イオンの拡散は電解槽内の水流に依存している。そのため、水分子より比重の重い銀イオンは電解槽の内底面に滞留および堆積しやすく、この内底面の供給管路の出口部分を除いたほとんどの部位には水流がほとんどなく、滞留および堆積した銀イオンが拡散されずに無駄になってしまう。
また、溶出させる電極は、通電時以外でも水道水中の塩化物イオン等と反応し電極表面に析出物を形成していた。そのため、析出物が形成された状態のままで通水および通電すると銀イオン水とともに析出物が電解槽外へ排出される。
【０００４】
この発明は、前述した従来の技術に内在している前記欠点に鑑み、これを好適に解決するべく提案されたものであって、電極から溶出したイオンを効率良く拡散させる電解槽を提供することを目的とする。
さらには、電極表面に形成していた析出物を電解槽外への排出を防止する電解槽を提供することを目的とする。
【０００５】
【課題を解決するための手段】
前記課題を克服し、所期の目的を達成するために、本発明に係る電解槽は、溶出させる電極を備えた槽内に被処理水を供給する供給管路と、前記槽内で処理された水を排出する排出管路とを備えた電解槽において、前記供給管路の出口が電極に向けて下方に開口していることを特徴としている。また、請求項２に係る電解槽は、供給管路の出口に接合されるフィルタを備え、前記電極がフィルタ内に配設されていることを特徴としている。
【０００６】
【発明の実施の形態】
次に本発明に係る電解槽につき、好適な実施形態を挙げて、添付図面を参照しながら以下説明する。
【０００７】
図１および図２は本発明に係る第１の実施形態であって、電解槽１０は樹脂製の電解槽本体１２と、この電解槽本体１２の天井面１２ａの略中央を貫通して下方に延出する供給管路１４と、電解槽本体１２の天井面に開口する排出管路１６と、電解槽本体１２の底面１２ｂを貫通し前記供給管路１４の出口に向けて延びる銀電極１８とから構成されている。
注出スイッチ（図示せず）からの注出信号により電磁弁２０が開成されると外部給水源から供給される水道水等の被処理水が電解槽１０に供給される。被処理水は前記供給管路１４を通り下方に開口している出口１４ａから銀電極１８に向けて供給される。銀電極１８には前記注出信号により直流電源２２によって通電されており、この通電により銀電極１８が徐々に銀イオンとなって被処理水中に溶け込んでいく。この銀イオンの溶け込んだ処理水は前記排出管路１６から外部に取出され、飲用水、食品加工、消毒治療水等に利用される。
以上のように、供給管路１４の出口１４ａが銀電極１８に向けて下方に開口するように構成したので、銀イオンが水流により効率良く拡散するとともに、滞留および堆積しやすい電解槽本体１２の底面１２ａの銀イオンをも拡散し、均一濃度の銀イオン水を生成することができる。
【０００８】
図３は本発明に係る第２の実施形態であって、第１の実施形態の電解槽１０に析出物が排出されるのを防止するフィルタ２４を設けたものである。このフィルタ２４は円筒状で前記給水管路１４の出口１４ａから電解槽本体１２の底面１２ｂまで配設されるとともに、その円筒状の内部に銀電極１８が位置するよう配設される。フィルタ２４は水分子および銀イオンの通過を許容し、析出物を通過させないものであればよい。
以上のように、フィルタ２４を設けたので、銀電極１８は通電すると水道水中の塩化物イオンなどと反応し銀電極１８表面に析出物が現れ、この析出物が処理水とともに排出されようとするがフィルタ２４で析出物のみ排出が防止されるので、排出管路１６から外部に取出され、飲用水、食品加工、消毒治療水等に利用されるときに析出物が混入して不信感を与えることがない。
【０００９】
なお、本第１の実施形態および第２の実施形態では電極として銀電極で説明したがこれに限定されるものではなく、金電極や銅電極等の溶出させることのできる電極であればよい。
【００１０】
【発明の効果】
以上説明した如く、本発明に係る電解槽によれば、供給管路の出口を電極に向けて下方に開口させたので電極から溶出したイオンを効率良く拡散させることができる。
【図面の簡単な説明】
【図１】本発明の実施形態に係る電解槽の一部断面側面図である。
【図２】本発明の実施形態に係る電解槽の平面図である。
【図３】本発明の第２の実施形態に係る電解槽の一部断面側面図である。
【符号の説明】
１０　　電解槽
１２　　電解槽本体
１４　　供給管路
１６　　排出管路
１８　　電極
【図１】
2004121914.tif 000003
【図２】
2004121914.tif 000004
【図３】
2004121914.tif 000005
(57)【要約】【課題】棒状器具を把持するスポーツでは、母指袋体が自由に動く用に伸縮性を持たせた手袋を着用すると、棒状器具を握る位置が移動し、また長母指屈筋が疲労するので、打球方向が安定しない。【解決手段】複数の材料を縫着して構成されるスポーツ用手袋において、補強材を母指用袋体の根本から第２指用袋体の根本にかけて挿入し、前記第２指用袋体と、第５指用袋体を含む平面と直交し、かつ前記第２指用袋体を含む平面内で、前記母指用袋体と前記第２指用袋体のなす角度が１５度から３０度であることを特徴とする、スポーツ用手袋。【選択図】　　　　　　　　図１
2004121300.tif 000002
【特許請求の範囲】
【請求項１】
複数の材料を縫着して構成されるスポーツ用手袋において、補強材（４）を母指用袋体（１５）の根本から第２指用袋体（１６）の根本にかけて挿入し、前記第２指用袋体と、第５指用袋体を含む平面と直交し、かつ前記第２指用袋体を含む平面内で、前記母指用袋体（１５）と前記第２指用袋体（１６）のなす角度が１５度から３０度であることを特徴とする、スポーツ用手袋（１）。
【請求項２】
甲側主体材（２）と、平側主体材（３）と、補強材（４）を縫着して構成され、前記甲側主体材の母指部（１０）と第２指部（１１）の間に、切り込み部（５）を設けたことを特徴とする請求項１のスポーツ用手袋の製造方法。
【発明の詳細な説明】
【０００１】
【発明の属する技術分野】
本発明は、棒状器具を用いて行うスポーツにおいて、棒状器具が握りやすく、また、長時間握り続けても長母指屈筋が疲労しないようにしたスポーツ用手袋に関する。
【０００２】
【従来の技術】
従来、スポーツ用手袋は、棒状器具を長時間握り続ける状態で使用する。このため棒状器具を握りやすくするために、伸び率の異なる材料を適宜配置する手袋が公知である（例えば特許文献１）。
また、特に移動量の大きい母指の付根付近から第２指の付け根付近にかけて、伸縮性を持たせるように構成した手袋が公知である（例えば特許文献２）。
【０００３】
【特許文献１】
特開２００２−６５９２８号公報（請求項２−請求項４）
【特許文献２】
特開平１０−８８４１０号公報
【０００４】
【発明が解決しようとする課題】
しかしながら、特許文献１に記載された掌と手の甲で材料の伸縮率を変える方法は、第２指から第５指で棒状器具を握る動作を補助するものであり、棒状器具を挟み込む母指の動作を補助するものではない。このため、母指で棒状器具を握るためには、長母指屈筋を緊張状態に保ち続けなければならず、疲労しやすいという問題点があった。
【０００５】
また、特許文献２に記載された、母指の付根付近から第２指の付け根付近にかけて伸縮性のある材料を配置した手袋は、母指の動き易さと移動量は改善できるものの、母指の棒状器具の握り位置がずれてしまい、ゴルフ等においては打球の方向性が不安定になるという問題点があった。
【０００６】
以上の問題点に鑑み、本発明は手袋の母指袋体の初期位置を、棒状器具を握りやすい位置に誘導し、長母指屈筋の疲労を軽減するとともに、打球方向を安定させることができるスポーツ用手袋を提供することを目的とする。
【０００７】
【課題を解決するための手段】
かかる目的を達成するための請求項１の構成は、複数の材料を縫着して構成されるスポーツ用手袋において、補強材を母指用袋体の根本から第２指用袋体の根本にかけて挿入し、前記第２指用袋体と、第５指用袋体を含む平面と直交し、かつ前記第２指用袋体を含む平面内で、前記母指用袋体と前記第２指用袋体のなす角度が１５度から３０度であることを特徴とする、スポーツ用手袋である。
【０００８】
棒状器具を握る場合、特にゴルフにおいては、親指と人差し指が形成する角度を安定させることが、打球方向を安定させるための重要な要素となる。グリップの種類や個人差により母指と第２指が形成する角度には差があるが、概ね１５度から３０度にするのがよい。
【０００９】
また、請求項２は、甲側主体材と、平側主体材と、補強材を縫着して構成され、前記甲側主体材の母指部と第２指部の間に、切り込み部を設けたことを特徴とする請求項１のスポーツ用手袋の製造方法である。
【００１０】
【発明の実施の形態】
以下に本願発明の実施の形態を、図を用いて説明する。
図１に示すように、甲側主体材２の母指部１０と第２指部１１の間に切り込み部５を設ける。図中の点線は通常の手袋の抜き形状を示しているが、本実施例の手袋では開口部幅Ｄを２２ｍｍ、開口部からの切り込み深さＬを２５ｍｍにした。この切り込み部の形状は、手袋の大きさにより異なるが、開口部幅Ｄは１６ｍｍ以上２２ｍｍ以下、切り込み深さＬは１５ｍｍ以上３０ｍｍ以下にすることが望ましい。
【００１１】
本願発明のスポーツ用手袋１は、甲側主体材２の切り込み部５を縫着し、母指用袋体１５の位置を通常よりも鋭角になるように制限し、甲側主体材２と平側主体材３の第５指外側縫着線７を縫着し、かつ甲側主体材２と補強材４の母指外側縫着線６を縫着し、かつ平側主体材３と補強材４を互いに縫着して製造する。補強材４は甲側主体材２及び平側主体材３よりも厚い材料を用いることで、摩耗に対する耐久性が上がると共に、母指を拘束し棒状器具が握りやすくなり、打球方向も安定する。
【００１２】
【発明の効果】
以上のように本発明のスポーツ用手袋は、母指袋体の初期位置を、棒状器具が握りやすい位置に誘導するので、長母指屈筋の疲労を軽減するとともに、打球方向を安定させることができる。
【図面の簡単な説明】
【図１】本願発明の甲側主体材の抜き形状。
【図２】本願発明の補強材及び平側主体材の抜き形状。
【図３】スポーツ用手袋の使用状態。
【符号の説明】
１　　スポーツ用手袋
２　　甲側主体材
３　　平側主体材
４　　補強材
５　　切り込み部
６　　母指外側縫着線
７　　第５指外側縫着線
８　　第２指外側縫着線
１０　母指部
１１　第２指部
１２　第５指部
１５　母指用袋体
１６　第２指用袋体
２０　棒状器具
Ｄ　　開口部幅
Ｌ　　切り込み深さ
【図１】
2004121300.tif 000003
【図２】
2004121300.tif 000004
【図３】
2004121300.tif 000005
(57)【要約】【課題】５０ｇ〜３ｋｇの少量のこんにゃくを家庭で簡単に手作りすることができるようにこんにゃく製造用原料を提供する。【解決手段】５０ｇ〜３ｋｇの少量のこんにゃくが家庭で簡単に手作りできるようにこんにゃく製造用の原料となるこんにゃく糊とゲル化剤を混ぜるだけでこんにゃくができるように定量化して提供する。【選択図】　　なし【特許請求の範囲】
【請求項１】
摩り下ろしたこんにゃく芋、またはこんにゃく粉、もしくはその両者にグルコマンナン含有率が１．５〜６重量％の範囲になるように適量の水を加えて溶解させこれを膨潤させて作ったこんにゃく糊（以下こんにゃく糊という）を５０ｇ〜３ｋｇの範囲で定量とりこれを袋に入れたものと、このこんにゃく糊をゲル化させるのに必要なゲル化剤を定量とりこれを袋に入れたものまたはこの定量のゲル化剤を適量の水（一般にはこんにゃく糊の１０〜１５重量％の水を使う）で溶きこれを袋に入れたものからなる手作りこんにゃくのために定量化したこんにゃく製造用原料（ここで言う袋とは一般に食品を包装しているＰＰやＰＥまたは他の素材を含むラミネートフィルム等で作った袋を言う）
【発明の詳細な説明】
【０００１】
【発明の属する技術分野】
本発明は一般家庭において５０ｇから３ｋｇぐらいまでの少量のこんにゃくを簡単に手作りできるようにこんにゃく糊とそれをゲル化させるに必要なゲル化剤を定量化して提供することにある。
【０００２】
【従来の技術】
従来、こんにゃくはこんにゃく製造業者が生産ラインで大量に生産して市場に供給したり、特産地で手作りした製品を地場で販売しているケースが多い。また原料が容易に入手できる地域では家庭でこんにゃく芋またはこんにゃく粉を原料として手作りこんにゃくを作ったりしている。しかし一般家庭でこんにゃくを作ることは原料の入手や製造上の面倒くささから殆ど行われていない。
【０００３】
ここで約３５０ｇのこんにゃくを手作りする場合の手順について説明すると、
１．容器にこんにゃく粉９ｇと水３００ｇを混合し膨潤するまで約１０分間攪拌する。これを十分膨潤した糊状になる迄約一時間放置する。
２．容器にゲル化剤として０．４ｇの石灰を４０ｇの水に溶き石灰乳を作る。
３．１で作ったこんにゃく糊を手でよくかき混ぜて２で作った石灰乳を加え糊に粘りが出るまでもう一度手で混練する。
４．箱に入れたり丸玉にしたりしてこんにゃくの形を作り５〜１０分ほど放置しこれを湯の中で５分以上煮てできあがる。
【０００４】
こんにゃく製造はこのような手順を踏むので一般家庭でこんにゃくを作る場合はこんにゃく糊を作るのに時間がかかると言うだけでなくゲル化剤の計量なども大変な作業となる。というのは３００ｇくらいのこんにゃくを作る場合ゲル化剤として石灰約０．４ｇを計量しなければならず家庭の計りでは困難な場合が多い。
【０００５】
また原料となるこんにゃく粉やこんにゃく芋は業務用の取引が殆どであり家庭で作るための少量の購入は一部の店やインターネット販売で購入するしかなく困難な場合が多い。
【０００６】
【発明が解決しようとする課題】
このように家庭でこんにゃくを作ることは非常に手間暇がかかるだけでなく少量の原料を入手することも困難である。このために一般の家庭で手作りでこんにゃくを作ることは非常に難しい。しかしこんにゃく産地などで販売されている手作りこんにゃくは市販されている機械で製造したこんにゃくに比べ食感や味、匂いにおいて非常に優れており消費者のニーズは高い。
【０００７】
そこで本発明は５０ｇ〜３ｋｇの少量でも一般の家庭で簡単に手作りこんにゃくができるようにこんにゃく糊やゲル化剤の重量や濃度を設定して定量化したこんにゃく製造用原料を提供することを目的としている。
【０００８】
【課題を解決するための手段】
上記目的を達成するため、本発明の「手作りこんにゃくのために定量化したこんにゃく製造用原料」は、こんにゃく糊とゲル化剤を混合混練し丸玉や四角などに形づくりお湯で煮れば手作りこんにゃくができあがるため、今までのように原料のこんにゃく粉やゲル化剤を計ったり仕込んだりする手間暇をかけることなくこんにゃくを手作りできるということを特徴としている。
【０００９】
本発明は
【０００３】の手順のうち１．２．の作業でできる原料を既製品として提供するものであり詳細は次のようにして製造する。
【００１０】
手順１のこんにゃく糊はこんにゃく芋を摩り下ろしこれに水を加え糊にする場合とこんにゃく粉に水を加え糊にする場合とこの両者を混合して糊にする場合がある。いずれもこんにゃく糊全体に対して含有するグルコマンナンの量は１．５〜６重量％の範囲であり一般には３％前後である。このこんにゃく糊の製造は当初加水した後グルコマンナンが膨潤するまで約１０分くらい攪拌する。できたこんにゃく糊を５０ｇ〜３ｋｇの範囲内で定量とり袋詰する。
【００１１】
手順２のゲル化剤は一般に石灰を使うが炭酸ナトリウム等他のゲル化剤でも良い。ここでは石灰を使用する場合について述べる。石灰の量は上記こんにゃく糊の１０〜１５重量％の水にこの水の０．５〜１．５重量％の石灰を加え石灰乳を作りこれを袋詰する。ただし石灰乳の量や濃度は使いやすさの目安でありこんにゃくがゲル化する範囲であれば水量や濃度がこの範囲を超えても良い。
【００１２】
このようにして製造した「手作りこんにゃくのために定量化したこんにゃく製造用原料」はこんにゃくを手作りする場合の手順のうち計量や加水、膨潤などの手間暇のかかるかなりの工程が済んでいるのでこれを使用すれば簡単にこんにゃくを手作りできる。
【００１３】
【実施例】
容器に水３５０ｇをとりこれにこんにゃく粉１０ｇを入れヘラで約１０分間攪拌しゾル状のこんにゃく糊を作りこれをレトルト耐性のあるＰＰ系ラミネートフィルムの袋にに入れ１２０℃で４０分間加熱殺菌した。また同時に０．５ｇの石灰を５０ｇの水に溶かし石灰乳を作り同等の袋に入れた。この２点が「手作りこんにゃくのために定量化したこんにゃく製造用原料」でこれを１０日間保存した。１０日後容器にこんにゃく糊を出し手でかき混ぜこれに石灰乳を入れ約１分こんにゃく糊に粘りが出るまで混練した。この糊を２０ｇ位の丸玉にしトレイに並べて約１０分間放置後８０℃の湯で１０分間ゆでて丸玉のこんにゃくを作った。こんにゃくの手作り時間は約３０分と非常に短縮されかつ計量などの煩わしさがなく非常に便利であった。このこんにゃくは市販のこんにゃくに比べ引きがあり匂いも少なく食感も良かった。
【００１４】
【発明の効果】
以上説明したように本発明である「手作りこんにゃくのために定量化したこんにゃく製造用原料」を使えばいつでも簡単にこんにゃくを作れるだけでなく手作りでしか味わえない美味しいこんにゃくをいつでも味わうことができる。
(57)【要約】【課題】洗濯時に洗剤を使用することによる環境の悪化を防止するため、洗剤を使用しない洗濯機及び洗濯方法を開発する。【解決手段】外装と、外装の内側に配置された内部洗浄槽と、内部洗浄槽の内側に配置された衣類投入円形カゴと、アルカリ水と酸性水を内部洗浄槽に供給する電解水発生機と、内部洗浄槽の内部に設けられ複数の先の尖ったイオン発信キッドを備えた高圧発信ポールと、内部洗浄槽の内部に設けられ複数の羽根を備え上下方向の高速振動を発生する振動攪拌機とにより、洗剤を使わない洗濯機を構成する。【選択図】　　　図１
2004121655.tif 000002
【特許請求の範囲】
【請求項１】
外装（１）と、外装（１）の内側に配置された内部洗浄槽（２）と、内部洗浄槽（２）の内側に配置された衣類投入円形カゴ（３）と、アルカリ水と酸性水を内部洗浄槽（２）に供給する電解水発生機（４）と、内部洗浄槽（２）の内部に設けられ複数の先の尖ったイオン発信キッド（５ａ）を備えた高圧発信ポール（５）と、内部洗浄槽（２）の内部に設けられ複数の羽根（６ａ）を備え上下方向の高速振動を発生する振動撹拌機（６）と、からなることを特徴とする洗剤を使わない洗濯機。
【請求項２】
内部洗浄槽（２）の内壁に洗濯用水を加熱するヒーターパイプ（７）を設けたことを特徴とする請求項１の洗濯機。
【請求項３】
内部洗浄槽（２）内の高圧発信ポール（５）及び振動撹拌機（６）を収容した機器ゾーン（９）と、衣類投入円形カゴ（３）との間に、隔離網（８）を設けたことを特徴とする請求項１の洗濯機。
【請求項４】
請求項１記載の洗濯機を使用する洗濯法において、電解水発生機（４）の陰極側で生成されるＰＨ８以上のアルカリ水に高圧発信ポール（５）のマイナスイオンを付加して洗濯を行ない、電解水発生機（４）の陽極側で生成されるＰＨ６以下の酸性水を用いてすすぎを行ない、すすぎ後は衣類投入円形カゴ（３）内で脱水を行うことを特徴とする洗剤を使わない洗濯法。
【発明の詳細な説明】
【０００１】
【発明の属する技術分野】
この発明は、洗濯物の洗濯を行う洗濯機及び洗濯法に関する。
【０００２】
【従来の技術】
洗濯物に中性洗剤、粉末石鹸等の洗剤を加えて洗濯を行ない、その後で真水によるすすぎを行っている。
【０００３】
【発明が解決しようとする課題】
使用ずみの洗剤は下水→川→海へと流れ、生活環境を悪化させる。また、洗剤の使用量を減らすと洗い残しを生じ易い等の問題がある。
【０００４】
【課題を解決するための手段】
電解水発生機によりアルカリ水を作り、洗剤を使用することなく、アルカリ水で洗濯を行う、更に、洗濯用水にマイナスイオンを付加することにより、洗濯の能率を向上させる。
【０００５】
【発明の実施の形態】
図１において、１は洗濯機の外装、２は内部洗浄槽、３は衣類投入円形カゴ、４は水道水パイプ４ａ、アルカリ水パイプ４ｂ、酸性水パイプ４ｃを備えた電解水発生機、４ｄはアルカリ水パイプ４ｂ及び酸性水パイプ４ｃに接続した水質コントローラ、５は複数の先の尖ったイオン発信キッド５ａと高圧トランス５ｂとを備えた高圧発信ポール、６は複数の羽根６ａと羽根６ａを上下に振動させるエンジン６ｂとを備え、洗濯水に高速振動を発生させる振動撹拌機、７は内部洗浄槽２の内壁に装着されたヒーターパイプ、８は高圧発信ポール５及び振動撹拌機６を収容する機器ゾーン９と内部洗浄槽２との間に設けられた隔離網である。
【０００６】
１０は内部洗浄槽２の下側で水質コントローラ４ｄと高圧トランス５ｂとを収容するバックヤード、１１はアルカリ水タンク、１２は酸性水タンク、１３は排水口、１４は絶縁材、１５は絶縁性脚、１６はリミットスイッチ１６ａを備え、開放すると洗濯機が自動的に停止する蓋である。なお、高圧発信ポール５に使用する電圧は２０００−８０００ボルトが好ましい。
【０００７】
このような装置において、衣類投入円形カゴ３に洗濯物ｗを投入し、蓋１６を閉鎖し、洗濯機のスイッチをオンにすると、電解水発生機４において、陰極側にアルカリ水が生成され、アルカリ水はアルカリ水パイプ４ｂ、水質コントローラ４ｄを介して内部洗浄槽２に供給され、振動撹拌機６が洗濯水に高速振動を発生し、衣類投入円形カゴ３内で洗濯を実行する。
【０００８】
使用するアルカリ水はＰＨ８−１１が適当であり、洗剤と同様に脂分を包み込む効果を有する。
また、ヒーターパイプ７により洗濯水を約４０℃に加熱することにより、衣類に付着した汚れ、脂分を剥離し易い条件を構成する。
【０００９】
内部洗浄槽２内の洗浄水に振動撹拌機６による高速振動を起し、洗浄水のクラスター（分子結合）を細かくすることにより、洗浄水の衣類浸透を高め、付着汚れの剥離を容易にする。
【００１０】
高圧トランス５ｂによる高圧電流を高圧発信ポール５を経て、先の尖った金属製イオン発信キッド５ａの先端より洗浄槽２内に流し、マイナスイオンを発生させ、衣類に付着した汚れ、脂分を溶解剥離する。
【００１１】
洗浄後のすすぎには、電解発生機４の陽極側で生成された強酸性水（ＰＨ６−３程度）を使用し、酸性水の滅菌効果、肌に対するアストリンゼン効果を生み出す。
【００１２】
すすぎ後は、衣類投入円形カゴ３内で脱水を行う。脱水時の廃液は排水口１３から排出される。
【００１３】
【発明の効果】
本発明は、外装と、外装の内側に配置された内部洗浄槽と、内部洗浄槽の内側に配置された衣類投入円形カゴと、アルカリ水と酸性水を内部洗浄槽に供給する電解水発生機と、内部洗浄槽の内部に設けられ複数の先の尖ったイオン発信キッドを備えた高圧発信ポールと、内部洗浄槽の内部に設けられ複数の羽根を備え上下方向の高速振動を発生する振動撹拌機と、からなることにより、洗剤を使わない洗濯機を実現することができる。
【図面の簡単な説明】
【図１】本発明の実施例における概略断面図である。
【符号の説明】
１　　外装
２　　内部洗浄槽
３　　衣類投入円形カゴ
４　　電解水発生機
５　　高圧発信ポール
６　　振動撹拌機
７　　ヒーターパイプ
８　　隔離網
９　　機器ゾーン
１０　バックヤード
１６　蓋
【図１】
2004121655.tif 000003